(57)【要約】  本明細書に開示される実施形態は、非侵襲的電磁記録におけるアーチファクトを抑制するためのシステム、装置、および方法を対象とする。脳波記録（ＥＥＧ）または脳磁図（ＭＥＧ）データセットなどのデータセットは、複数のセンサによって記録されうる。データセットには、関心対象の信号からの寄与分およびアーチファクトからの寄与分が含まれうる。アーチファクトの寄与分は、関心対象の信号の空間モデルに基づいて、データセットを投影データと残余データに分割することによって抑制することができる。投影データには、関心対象の信号からの寄与分およびアーチファクトからの寄与分が含まれうるが、残余データには、主にアーチファクトからの寄与分が含まれうる。投影データと残余データとを比較して、投影データからアーチファクトの寄与分を除去または低減することができる。
2021536272.tif 000002
【特許請求の範囲】
【請求項１】
導体の外部に複数のセンサを配置するステップであって、前記導体の内部の電流が電磁界を生成する、ステップと、
前記センサの位置での電磁界に基づいて、前記複数のセンサのうちの１つによってそれぞれ測定された複数のチャネルを含むデータセットを測定するステップと、
電磁界の空間モデルに基づいて、前記複数のセンサの位置での電磁界の推定分布を生成するステップと、
電磁界の前記推定分布に基づいて、測定された前記データセットを投影データセットと残余データセットとに分離するステップと、
前記データセットまたは前記投影データセットと前記残余データセットとの比較に基づいて、前記データセットまたは前記投影データセットからアーチファクトを除去することによって処理データセットを生成して、前記データセットまたは前記投影データセットと前記残余データセットとの間で一致するアーチファクト波形を識別するステップと、
を含む、方法。
【請求項２】
前記方法が、
前記データセットを、関心対象の信号波形およびアーチファクト波形を含む複数の波形に分解するステップと、
前記残余データセットをアーチファクト波形を含む複数の波形に分解するステップと、
前記データセットからの前記複数の波形を前記残余データの前記複数の波形と比較して、該比較に基づいて前記アーチファクトを除去することステップと、
をさらに含む、請求項１記載の方法。
【請求項３】
前記アーチファクトを除去するステップが、前記残余データセットに基づいて元の記録または投影データセットを投影するステップを含む、請求項２記載の方法。
【請求項４】
前記元の記録または前記投影データセットを投影するステップが、時間領域で行われる、請求項３記載の方法。
【請求項５】
前記方法が、
前記投影データセットを、関心対象の信号波形およびアーチファクト波形を含む複数の波形に分解するステップと、
前記残余データセットをアーチファクト波形を含む複数の波形に分解するステップと、
前記投影データからの前記複数の波形を前記残余データの前記複数の波形と比較して、該比較に基づいて前記アーチファクトを除去するステップと、
をさらに含む、請求項１記載の方法。
【請求項６】
前記導体が脳であり、
前記複数のセンサが、脳波記録（ＥＥＧ）測定または脳磁図（ＭＥＧ）測定を実行するように構成されている、
請求項１記載の方法。
【請求項７】
前記方法が、前記処理データセットに基づいて、対象者を監視するステップ、前記対象者を診断するステップ、前記対象者の治療計画を判定するステップ、前記対象者の状態を分類するステップ、またはこれらの組み合わせ、をさらに含む、請求項６記載の方法。
【請求項８】
前記方法が、
位置センサを用いて位置データを測定するステップと、
前記位置データに基づいて前記複数のセンサの位置を判定するステップと、
をさらに含む、請求項１記載の方法。
【請求項９】
前記方法が、先行の記録データに基づいて前記モデルを改良するステップをさらに含む、請求項１記載の方法。
【請求項１０】
前記方法が、前記空間モデルの自由度の数に基づいて前記複数のセンサの数を判定するステップをさらに含み、
前記複数のセンサの数が前記自由度の数よりも大きい、
請求項１記載の方法。
【請求項１１】
電磁界の前記推定分布を生成するステップが、前記導体内の任意の電流に基づいて電磁界の前記空間モデルを生成するステップを含む、請求項１記載の方法。
【請求項１２】
導体の周りに配置可能な複数のセンサであって、前記導体内の電流によって生成された関心対象の信号の測定値に基づいてデータセットを生成するように構成されており、前記データセットが前記関心対象の信号からの寄与分とアーチファクトからの寄与分とを含む、複数のセンサと、
少なくとも１つのプロセッサと、
少なくとも１つのメモリであって、実行可能命令を用いて符号化され、前記命令が、前記少なくとも１つのプロセッサによって実行される際に、前記システムに、
前記関心対象の信号の空間モデルおよび前記複数のセンサの位置に基づいて関心対象の推定信号を生成させ、
前記関心対象の推定信号に基づいて前記データセットを投影データと残余データとに分割させ、
前記データセットまたは前記投影データと前記残余データとを比較させ、
該比較に基づいて前記データセット内または前記投影データ内の前記アーチファクトの寄与分を低減することによって、処理データを生成させる、
メモリと、
を備える、システム。
【請求項１３】
前記導体が脳であり、
前記システムが、脳波記録（ＥＥＧ）測定値または脳磁図（ＭＥＧ）測定値を収集するように構成されている、
請求項１２記載のシステム。
【請求項１４】
前記システムが、対象者に刺激を提供するように構成された刺激機構をさらに備え、
前記実行可能命令は、前記刺激が提供される前に、前記刺激が提供された後に、前記刺激が提供されている間に、またはこれらの組み合わせで、前記システムに前記データセットを記録させる命令をさらに含む、
請求項１２記載のシステム。
【請求項１５】
前記実行可能命令は、前記システムに、
前記投影データを投影波形に分解させる命令、
前記残余データを残余波形に分解させる命令、
前記投影波形と前記残余波形とを一致させる命令、
前記一致した波形を前記投影波形から除去して前記処理データを生成させる命令、
をさらに含む、
請求項１２記載のシステム。
【請求項１６】
前記実行可能命令は、前記システムに、
前記データセットをデータセット波形に分解させる命令、
前記残余データを残余波形に分解させる命令、
前記データセット波形と前記残余波形とを一致させる命令、
前記一致した波形を前記データセット波形から除去して前記処理データを生成させる命令、
をさらに含む、請求項１２記載のシステム。
【請求項１７】
前記システムが、前記複数のセンサの位置を判定するように構成された位置センサをさらに備える、請求項１２記載のシステム。
【請求項１８】
前記システムが脳波記録（ＥＥＧ）システムであり、
前記実行可能命令は、前記システムに、
電圧空間モデルに基づいて、前記複数のセンサの前記位置のそれぞれにおける電圧を推定させる命令
をさらに含む、
請求項１２記載のシステム。
【請求項１９】
前記複数のセンサが、人間の頭部の周りに配置されるように構成されており、
前記導体が人間の脳である、
請求項１２記載のシステム。
【請求項２０】
導体の外部に複数のセンサを配置するステップであって、前記複数のセンサのそれぞれが、前記導体の内部の電流によって生成された電磁界に基づいて電圧を記録するように構成されている、ステップと、
記録された前記電圧に基づいてデータセットを測定するステップと、
それぞれが前記複数のセンサのうちの１つの位置に関連付けられた複数の位置を判定するステップと、
電磁界の電圧空間モデルに基づいて前記複数の位置のそれぞれにおける推定電圧を判定するステップと、
前記推定電圧に基づいて前記データセット内のアーチファクトを抑制するステップと、
を含む、方法。
【請求項２１】
前記導体が脳であり、
前記複数のセンサが、脳波記録（ＥＥＧ）測定値を記録するように構成されている、
請求項２０記載の方法。
【請求項２２】
記録された前記電圧内の前記アーチファクトを抑制するステップが、
前記推定電圧に基づいて前記データセットを投影することによって、前記データセットを投影データセットと残余データセットとに分割するステップと、
前記データセット内または前記投影データセット内の波形を前記残余データセット内の波形に一致させるステップと、
一致した波形を前記データセットまたは前記投影データセットから除去するステップと、
を含む、請求項２０記載の方法。
【請求項２３】
前記方法が、特異値分解（ＳＶＤ）、主成分分析（ＰＣＡ）、および／または独立成分分析（ＩＣＡ）を用いて、前記投影データセット内および前記残余データセット内の前記波形を識別するステップをさらに含む、請求項２２記載の方法。
【請求項２４】
前記方法が、先行の記録データセットに基づいて前記空間モデルを改良するステップをさらに含む、請求項２０記載の方法。
【請求項２５】
前記推定電圧を判定するステップは、前記導体の周りの前記複数の位置、および前記導体内の前記電流の推定位置に基づく、請求項２０記載の方法。
【請求項２６】
前記導体は、対象者の脳であり、
前記方法が、前記アーチファクトを抑制した後の前記データセットに基づいて、前記対象者を監視するステップ、前記対象者を診断するステップ、前記対象者の治療計画を判定するステップ、前記対象者の状態を分類するステップ、またはこれらの組み合わせ、をさらに含む、
請求項２０記載の方法。
【請求項２７】
前記電圧空間モデルが、静電多重極モーメントの線形重畳に基づく、請求項２０記載の方法。
【発明の詳細な説明】
【技術分野】
【０００１】
関連出願の相互参照
この出願は、２０１８年８月２４日に出願された米国特許仮出願第６２／７２２３４１号の利益を主張するものであり、その全ての内容が参照により本明細書に組み込まれる。
【０００２】
背景技術
体内の様々なプロセスが電磁信号を生成する。例えば、ニューロンまたはニューロンのグループの脱分極は、電流を生成し、次いで電界および磁界を生成しうる。これらのフィールドを測定することは、体内の活動を非侵襲的に監視するのに役立ちうる。
【０００３】
例えば、人間の脳などの導体内部の電気現象の非侵襲的分析は、この導体の近くではあるがこの導体の外部にある複数の場所での対応する電磁界（ＥＭＦ）分布を（例えば、頭蓋骨の上またはその外部にセンサを配置することにより）測定することによって実行可能である。このような測定により、分析者は、基礎となる神経電流分布、およびその神経科学的または臨床的重要性について推論することが可能になる。頭部の外部の電圧または磁界分布を測定する技術は、一般に、それぞれ、脳波記録法（ＥＥＧ）および脳磁図法（ＭＥＧ）と呼ばれうる。どちらの手法においても、主な課題の１つは、環境で発生するＥＭＦの寄与分と比較して脳の信号が相対的に弱いことであり、ＥＭＦの寄与分のほうが数桁大きくなることが多い。
【０００４】
発明の概要
少なくとも１つの態様では、本開示は、方法に関する。方法は、導体の外部に複数のセンサを配置することを含む。導体内部の電流は、電磁界を生成する。方法は、センサの位置での電磁界に基づいて、複数のセンサのうちの１つによってそれぞれ測定された複数のチャネルを含むデータセットを測定することを含む。方法は、電磁界の空間モデルに基づいて、複数のセンサの位置での電磁界の推定分布を生成することを含む。方法は、電磁界の推定分布に基づいて、測定されたデータセットを投影データセットと残余データセットとに分離することを含む。方法は、データセットまたは投影データセットと残余データセットとの比較に基づいて、データセットまたは投影データセットからアーチファクトを除去することによって処理データセットを生成して、データセットまたは投影データセットと残余データセットとの間で一致するアーチファクト波形を識別することを含む。
【０００５】
方法はまた、データセットを関心対象の信号波形およびアーチファクト波形を含む複数の波形に分解することと、残余データセットをアーチファクト波形を含む複数の波形に分解することと、データセットからの複数の波形を残余データの複数の波形と比較して、比較に基づいてアーチファクトを除去することと、を含みうる。アーチファクトを除去することは、残余データセットに基づいて元の記録または投影データセットを投影することを含みうる。元の記録または投影データセットを投影することは、時間領域で行われうる。
【０００６】
この方法はまた、投影データセットを関心対象の信号波形およびアーチファクト波形を含む複数の波形に分解することと、残余データセットをアーチファクト波形を含む複数の波形に分解することと、投影データからの複数の波形を残余データの複数の波形と比較して、比較に基づいてアーチファクトを除去することと、を含みうる。
【０００７】
導体は脳であってよく、複数のセンサは、脳波記録（ＥＥＧ）測定または脳磁図（ＭＥＧ）測定を実行しうる。方法はまた、処理データセットに基づいて、対象者を監視することと、対象者を診断することと、対象者の治療計画を判定することと、対象者の状態を分類することと、またはこれらの組み合わせと、を含みうる。
【０００８】
方法はまた、位置センサを用いて位置データを測定することと、位置データに基づいて複数のセンサの位置を判定することと、を含みうる。方法はまた、先行の記録データに基づいてモデルを改良することを含みうる。方法はまた、空間モデルの自由度の数に基づいて複数のセンサの数を判定することを含みうる。複数のセンサの数は、自由度の数より大きくてもよい。電磁界の推定分布を生成することは、導体内の任意の電流に基づいて電磁界の空間モデルを生成することを含みうる。
【０００９】
少なくとも１つの態様では、本開示は、導体の周りに配置可能な複数のセンサを含むセンサ、少なくとも１つのプロセッサ、および少なくとも１つのメモリに関しうる。複数のセンサは、導体内の電流によって生成された関心対象の信号の測定値に基づいてデータセットを生成することができる。データセットには、関心対象の信号からの寄与分とアーチファクトからの寄与分とが含まれる。メモリは、実行可能命令を用いて符号化され、前記命令は、少なくとも１つのプロセッサによって実行されると、システムに、関心対象の信号の空間モデルおよび複数のセンサの位置に基づいて関心対象の推定信号を生成させ、関心対象の推定信号に基づいてデータセットを投影データと残余データとに分割させ、データセットまたは投影データと残余データとを比較させ、比較に基づいてデータセットまたは投影データ内のアーチファクトの寄与分を低減することによって、処理データを生成させる。
【００１０】
導体は脳であってよく、システムは、脳波記録（ＥＥＧ）測定値、または脳磁図（ＭＥＧ）測定値を収集することができる。システムはまた、対象者に刺激を提供するように構成された刺激機構を含みうる。実行可能命令はまた、刺激が提供される前に、刺激が提供された後に、刺激が提供されている間に、またはこれらの組み合わせで、システムにデータセットを記録させる命令を含みうる。
【００１１】
実行可能命令は、システムに、投影データを投影波形に分解させ、残余データを残余波形に分解させ、投影波形と残余波形とを一致させ、一致した波形を投影波形から除去して処理データを生成させる、命令をさらに含みうる。
【００１２】
実行可能命令は、システムに、データセットをデータセット波形に分解させ、残余データを残余波形に分解させ、データセット波形と残余波形とを一致させ、一致した波形をデータセットの波形から除去して処理データを生成させる、命令をさらに含みうる。
【００１３】
システムはまた、複数のセンサの位置を判定するように構成された位置センサを含みうる。システムは、脳波記録（ＥＥＧ）システムでありうる。実行可能命令はまた、システムに、電圧空間モデルに基づいて複数のセンサの位置のそれぞれにおける電圧を推定させるための命令を含みうる。複数のセンサは、人間の頭部の周りに配置することができ、導体は、人間の脳でありうる。
【００１４】
少なくとも１つの態様では、本開示は、導体の外部に複数のセンサを配置することを含みうる方法に関しうる。複数のセンサのそれぞれは、導体の内部の電流によって生成された電磁界に基づいて電圧を記録しうる。方法は、記録された電圧に基づいてデータセットを測定することと、それぞれが複数のセンサのうちの１つの位置に関連付けられた複数の位置を判定することと、を含む。方法は、電磁界の電圧空間モデルに基づいて複数の位置のそれぞれにおける推定電圧を判定することと、推定電圧に基づいてデータセット内のアーチファクトを抑制することと、を含む。
【００１５】
導体は脳であってよく、複数のセンサは、脳波記録（ＥＥＧ）測定値を記録しうる。記録された電圧内のアーチファクトを抑制することは、推定電圧に基づいてデータセットを投影することによって、データセットを投影データセットと残余データセットとに分割することと、データセットまたは投影データセット内の波形を残余データセット内の波形に一致させることと、一致した波形をデータセットまたは投影データセットから除去することと、を含みうる。
【００１６】
方法は、特異値分解（ＳＶＤ）、主成分分析（ＰＣＡ）、および／または独立成分分析（ＩＣＡ）を用いて、投影データセットおよび残余データセット内の波形を識別することを含みうる。方法は、先行の記録データセットに基づいて空間モデルを改良することを含みうる。
【００１７】
推定電圧を判定することは、導体の周りの複数の位置、および導体内の電流の推定位置に基づきうる。導体は、対象者の脳であってよく、この方法は、アーチファクトを抑制した後のデータセットに基づいて、対象者を監視することと、対象者を診断することと、対象者の治療計画を判定することと、対象者の状態を分類することと、またはこれらの組み合わせとをさらに含む。電圧空間モデルは、静電多重極モーメントの線形重畳に基づきうる。
【図面の簡単な説明】
【００１８】
【図１】図１は、電磁測定が実行されうる例示的な環境のブロック図である。
【図２】図２は、本開示の一実施形態による分析ワークステーションの図である。
【図３】図３は、本開示の一実施形態による空間モデルのブロック図である。
【図４Ａ】図４Ａは、本開示の一実施形態による、アーチファクト抑制の前の例示的なＭＥＧデータを示すグラフである。
【図４Ｂ】図４Ｂは、本開示の一実施形態による、アーチファクト抑制の後の例示的なＭＥＧデータを示すグラフである。
【図５Ａ】図５Ａは、本開示の一実施形態による、アーチファクト抑制の前の例示的なＥＥＧデータを示すグラフである。
【図５Ｂ】図５Ｂは、本開示の一実施形態による、アーチファクト抑制の後の例示的なＥＥＧデータを示すグラフである。
【発明を実施するための形態】
【００１９】
特定の実施形態の以下の記載は、本質的に単なる例示に過ぎず、本開示またはその適用もしくは使用の範囲を限定することを決して意図するものではない。本システムおよび方法の実施形態の以下の詳細な説明では、本明細書の一部を形成し、説明されたシステムおよび方法が実施されうる特定の実施形態を例として示される添付の図面を参照する。これらの実施形態は、当業者が現在開示されているシステムおよび方法を実践することを可能にするのに十分詳細に説明されており、また他の実施形態を利用することができ、本開示の精神および範囲から逸脱することなく構造的および論理的な変更を行うことができることを理解されたい。さらに、明確性のために、特定の特徴の詳細な説明は、これらが本開示の実施形態の説明を曖昧にしないよう、当業者に明らかである場合には論じられない。したがって、以下の詳細な説明は、限定的な意味で解釈されるべきではなく、本開示の範囲は、添付の特許請求の範囲によってのみ定義される。
【００２０】
生物学的電磁現象の非侵襲的監視は、様々な用途において役立ちうる。例えば、ＥＥＧおよびＭＥＧは、脳内の活動の監視を可能にすることができ、様々な研究または臨床応用に使用されうる。電気センサおよび／または磁気センサは、それぞれ、対象者の脳の様々な部分が活性化されるように、電圧および磁界を記録しうる対象者の頭部の上または周囲に配置することができる。しかしながら、センサからの測定値には、ランダムノイズ、および様々な他の電磁信号源からの寄与分など、様々なアーチファクトからの寄与分（例えば、壁電流、他の近くの機器、関心対象の信号以外の対象者での電磁活動など）も記録されうる。対象者からの関心対象の信号は、一般に、アーチファクトの源と比較して弱い場合があるため、記録信号のアーチファクトから関心対象の信号を識別することは、一般に困難でありうる。
【００２１】
１つ以上のタイプのフィルタリングを使用して、記録信号のアーチファクトから関心対象の信号を分離することができる。しかしながら、幾つかのタイプの従来のフィルタリングでは、測定信号に対するアーチファクトの寄与分の特性に関する知識（および／または１つ以上の想定）が必要になりうる。例えば、アーチファクトの頻度に関する想定が必要になりうる。他のタイプの従来のフィルタリングでは、測定された信号を異なる成分に分離しうるが、どの成分が関心対象の信号に起因し、どの成分がアーチファクトに起因するかを手動で識別する必要がありうる。アーチファクトの特性を想定または知る必要なしに、測定された信号を自動的にフィルタリングすることが有利でありうる。
【００２２】
本開示は、非侵襲的電磁記録におけるアーチファクトを抑制するための装置、システム、および方法を対象とする。信号は、対象者の周りに配置された複数のセンサ（例えば、対象者の頭部の周りに配置されたＥＥＧセンサおよび／またはＭＥＧセンサ）を使用して記録することができる。信号は、センサが導体の外部に配置されている間に、閉じた導体（例えば、脳）などの導体の内部に位置する電流に基づきうる。各センサは、導体の周りのセンサの位置でのセンサの記録に基づいて、データセットにチャネルを提供しうる。記録データセットは、関心対象の信号（例えば、脳信号）からの寄与分、および様々なアーチファクトからの寄与分を含みうる。関心対象の信号によって生成された電磁界の空間モデルを使用して、様々なセンサの位置での関心対象の信号からの寄与分をモデル化することができる。記録データは、空間モデルに基づいて分割されて、測定された信号からモデル化された脳信号からの寄与分を除去することができる。例えば、記録データは、空間モデルの空間の基底に基づいて投影されて、アーチファクトおよび関心対象の信号からの寄与分を含む投影データ、およびアーチファクトからの寄与分を主に含む残余信号を生成しうる。投影データおよび残余データは、例えば、データを波形に分解し、波形を比較することによって比較することができ、投影データの寄与分と一致する記録データの寄与分を除去することができる。
【００２３】
空間モデルは、ＭＥＧ測定に有用でありうる磁界空間モデル、およびＥＥＧ測定に有用でありうる電界空間モデル（電圧空間モデルとして表されうる）を含みうる。空間モデルは、空間周波数の階層モデルに基づきうる。空間モデルは、モデルの複雑さ、および記録データに必要なチャネルの数を判定する次数を有しうる。本開示の空間モデルは、比較的低次で、十分な精度で信号をモデル化することができる。換言すれば、関心対象の信号の大部分は、比較的低次（例えば、比較的少ない自由度）の空間モデルによってモデル化することができる。これは、空間モデルでの計算の複雑さを低減するのに役立つ場合があり、さらにセンサチャネルの数が自由度に基づきうるため、比較的低い次数は比較的少ない記録チャネル（例えば、センサ）に関連付けられうる。
【００２４】
図１は、電磁測定が実行されうる例示的な環境のブロック図である。図１の例示的な環境１００は、人間の対象者１０２に対して特定のタイプの測定を実行するように設定されて示されている。特に、環境１００は、対象者が様々な刺激に応答している間に、対象者の脳に対してＭＥＧおよびＥＥＧ測定を実行するように設定されている。他の用途では、この開示の他の例示的な実施形態で使用されうる環境１００の異なる構成を要求しうる。同様に、構成要素の特定の構成が示されているが、様々な構成要素が分離、結合などされうることを理解されたい。例えば、別個の取得ワークステーション１２８および分析ワークステーション１３０が示されているが、幾つかの実施形態では、これらは、単一のワークステーション内に組み合わされてもよい。
【００２５】
環境１００は、ＥＥＧセンサ１０８およびＭＥＧセンサ１１０を含む、磁気的にシールドされた室１０４を含む。ＥＥＧセンサ１０８およびＭＥＧセンサ１１０は、対象者１０２に結合されている。図１の例示的な実施形態では、対象者１０２は、椅子、ベッド、診察台などの支持構造１０６上に配置されている。任意選択の位置センサ１１２を使用して、ＥＥＧセンサ１０８およびＭＥＧセンサ１１０に対する対象者１０２（または頭部などの対象者１０２の一部）の位置および向きを追跡することができる。刺激機構（例えば、ディスプレイ画面、スピーカ、ライトなど）は、刺激コンピュータ１１４からの命令に基づいて、対象者１０２に１つ以上の刺激を提供しうる。ＥＥＧセンサ１０８およびＭＥＧセンサ１１０はそれぞれ、刺激に反応する（または反応しない）ときの対象者１０２からの寄与分を有しうるものであり、またノイズ、信号干渉などのアーチファクトからの寄与分を有しうる信号を提供することができる。
【００２６】
ＥＥＧセンサ１０８およびＭＥＧセンサ１１０からの信号は、１つ以上のシステム電子回路１２０によって処理されうる。システム電子回路は、ＥＥＧセンサ１０８を動作させ、ＥＥＧセンサ１０８などからの生信号をフィルタリングするためのＥＥＧ電子回路１２２、およびＭＥＧセンサ１１０に対して同様の機能を実行しうるＭＥＧ電子回路１２３を含みうる。システム電子回路１２０は、環境１００の様々な態様（例えば、刺激コンピュータ１１４、支持構造１０６など）を制御するために使用されうる周辺機器インタフェースユニット１２４を含みうる。システム電子回路１２０は、ＥＥＧセンサ１０８およびＭＥＧセンサ１１０からの信号（単数または複数）を捕捉することができ、信号のデジタル化などの信号に対して１つ以上の機能を実行しうる、信号処理電子回路１２６を含みうる。
【００２７】
システム電子回路１２０は、取得ワークステーション１２８および分析ワークステーション１３０に結合することができる。取得ワークステーション１２８は、ユーザが（および／または自動的に）システム電子回路１２０を介してＭＥＧセンサ１１０およびＥＥＧセンサ１０８からの信号の取得を管理することを可能にする取得ソフトウェアを含みうる。同様に、分析ワークステーション（単数または複数）１３０は、データのフィルタリング、データの操作、データの提示、および／またはデータが記録されたときもしくはその後のいずれかでのデータのレビューを可能にしうる。分析ワークステーション（単数または複数）１３０は、データを（例えば、ローカルおよび／またはリモートで）保存することができ、レビューまたは分析のために１人以上の先行の対象者からデータを回収することができる。
【００２８】
対象者１０２は、関心対象の電磁信号の源でありうる。関心対象の信号が生物学的活動のために生成される実施形態では、対象は生命体でありうる。図１の例示的な実施形態では、人間の対象者１０２が示され、関心対象の電磁信号は、対象者の脳内の活動に起因して生成される。脳の外部のニューロン、筋肉群など、関心対象の他の信号源を、他の実施形態で使用することができる。幾つかの実施形態では、対象は、動物などの非ヒト生命体でありうる。
【００２９】
対象者１０２は、研究、治療、および／または診断の一部として測定を受けている場合がある。幾つかの場合では、対象者１０２は、関心対象の電磁信号に影響を与える疾患を有するか、または有することが疑われる場合がある。例えば、対象者１０２はてんかんでありうるので、対象者の脳のＥＥＧおよびＭＥＧ測定を使用して、彼らのてんかんを診断し、彼らのてんかんの性質を研究し、彼らのてんかんの治療を監視することができる。
【００３０】
対象者１０２は、そこでの電磁活動が関心対象の信号を生成する導体を含みうる。幾つかの実施形態では、導体は、脳などの閉じた導体でありうる。様々な用途のために、導体内の電流などの電磁現象（例えば、脳内の活動によって生成されうる電流など）を測定することが役立ちうる。例えば、脳内にセンサを配置することに関連する合併症を回避するために、これらの現象を非侵襲的な方法で測定することが望ましい場合がある。したがって、センサ１０８および１１０は、導体内で生成された電磁界を測定するために、導体の外部に配置されうる。センサ１０８および１１０は導体の外部に配置されているため、センサ１０８および１１０は、一般に、電磁界を生成する電流よりも、導体の中心（または導体の任意の他の基準点）からさらに離れているとみなすことができる。これは、空間モデルの生成に役立ちうる。
【００３１】
ＥＥＧおよび／またはＭＥＧ測定は、対象者１０２が室１０４にいる間に実行されうる。室１０４は、電気的および／または磁気的にシールドされた室でありうるので、室の外部で発生する干渉を軽減することによって、ＥＥＧセンサ１０８およびＭＥＧセンサ１１０によって測定されるアーチファクトを低減しうる。幾つかの実施形態では、室１０４は、ＭＥＧセンサ１１０および／またはＥＥＧセンサ１０８をセンサの電子回路に有害である干渉から保護するために、部分的にシールドされうる。
【００３２】
ＥＥＧおよび／またはＭＥＧ測定中、対象者１０２は、支持構造１０６上に配置されうる。支持構造１０６は、ＥＥＧセンサ１０８および／またはＭＥＧセンサ１１０に対して対象者１０２を配置するのを助けることができ、かつ対象者１０２をリラックスさせることができるため、対象者１０２の無関係な動きを低減することができる。例えば、支持構造１０６は、対象者１０２が乗ることができる椅子またはベッドでありうる。支持構造１０６は、調整可能であってもよく、ＥＥＧセンサ１０８および／またはＭＥＧセンサ１１０に対する対象者１０２の位置を追跡するために使用されうる１つ以上のセンサを含みうる。
【００３３】
位置決めセンサ１１２はまた、ＥＥＧセンサ１０８および／またはＭＥＧセンサ１１０に対する対象者１０２の位置を監視するために使用されうる。幾つかの実施形態では、位置決めセンサ１１２は、対象者１０２全体の位置を測定することができる。幾つかの実施形態では、位置センサ１１２は、対象者１０２の関心領域の位置を測定することができる。例えば、ＥＥＧおよびＭＥＧ測定の場合、位置決めセンサ１１２は、センサに対する対象者の頭部の向きおよび位置を測定する頭部位置センサでありうる。
【００３４】
例えば、ＭＥＧセンサ１１０がデュワーなどの構造内にある一実施形態では、位置決めセンサ１１２は、対象者の頭部に取り付けられてもよく、各センサは、ＭＥＧセンサ１１０を含む構造内の一致する基準位置までの距離を測定しうる。別の例では、ＭＥＧセンサ１１０を含む構造は、（例えば、ガントリ上で）調整可能であってもよく、構造を調整するアクチュエータは、調整可能な構造の位置を示す信号を送信しうる。対象者１０２が置かれている支持構造１０６は、同様の情報を提供することができ、対象者１０２の位置決めは、ＭＥＧセンサ１１０および調整可能な支持構造１０６を含む調整可能な構造の相対的な位置および向きに基づいて判定されうる。
【００３５】
ＥＥＧセンサ１０８は、対象者１０２上またはその周囲に配置された電極でありうる。ＥＥＧセンサ１０８のそれぞれは、電磁界への曝露に応答して、電流および／または電圧を発生させうる抵抗素子（例えば、ワイヤ）を含みうる。例えば、電界に応答して、各電極は電位（例えば、電圧）を発生させうる。幾つかの実施形態では、ＥＥＧセンサ１０８は、有線で結合されるかまたは無線で結合されて、そのＥＥＧセンサの電圧の測定値を提供しうる。ＥＥＧセンサ１０８の電圧は、取得ワークステーション１２８によって経時的に記録されうる。
【００３６】
幾つかの実施形態では、ＥＥＧセンサ１０８は、例えば接着剤を用いて対象者１０２に取り付けられうる（例えば、対象者の頭部に取り付けられうる）。幾つかの実施形態では、ＥＥＧセンサ１０８は次いで、対象者１０２上の位置にありうる支持体に取り付けられうる。例えば、ＥＥＧセンサ１０８は、対象者の頭部に配置されうる帽子、ヘッドバンド、ネットなどで、ウェアラブルに取り付けられうる。
【００３７】
ＭＥＧセンサ１１０は、磁気センサ１１０の位置での磁界を測定することができる。例えば、ＭＥＧセンサ１１０のそれぞれは、超伝導量子干渉デバイス（ＳＱＵＩＤ）での磁界に比例する信号を生成する超伝導要素を含みうるＳＱＵＩＤであってもよい。ＭＥＧセンサ１１０は、磁界のベクトルを測定することができる。幾つかの実施形態では、ＭＥＧセンサ１１０は、デュワーなどの絶縁構造内に配置されうる。デュワーは、ＭＥＧセンサ１１０が対象者１０２の近くにあるが、対象者１０２がＭＥＧセンサ１１０の極低温から保護されるように、対象者１０２の周り（例えば、対象者の頭部の周り）に配置されるように形作られうる。
【００３８】
ＥＥＧセンサ１０８およびＭＥＧセンサ１１０は、データの行列などのデータセットを提供することができる。データセットは、それぞれがセンサの個別の１つからのデータでありうる、複数の「チャネル」を含みうる。例えば、ＥＥＧセンサ１０８の場合、各チャネルは、経時的な電圧の測定値でありうる。離散時点で測定が行われるように信号が離散化されている場合、データセットは、Ｎｘｍデータポイントの行列であってよく、ここで、Ｎはチャネルの数、ｍは時点の数である。
【００３９】
図１の例示的な実施形態では、対象者１０２は、１つ以上の刺激に対する彼らの反応（または反応の欠如）に基づく測定プロトコルを受けうる。したがって、室１０４は、刺激機構１１６を含みうる。刺激機構１１６は、対象者の１０２の感覚のうちの１つ以上によって検出されうる幾つかの刺激を提示しうる。例えば、刺激機構は、様々なトーンを発するスピーカまたは様々な画像を表示するモニタでありうる。刺激コンピュータ１１４は、刺激機構１１６に、１つ以上の刺激を提供させることができる。例えば、刺激コンピュータ１１４は、刺激機構に、既知の時間において一連の刺激を提供させることができる。センサ１０８および１１０は、刺激が提供される前、その間、かつ／またはその後に、データを記録することができる。
【００４０】
システム電子回路１２０は、室１０４内の様々なデバイスを動作させるため、かつ／またはセンサ１０８および１１０からのデータを記録するための様々な構成要素を含みうる。例えば、システム電子回路１２０は、ＥＥＧセンサ１０８に結合されうるＥＥＧ電子回路１２２を含みうる。ＥＥＧ電子回路１２２は、ＥＥＧセンサ１０８からの生の信号（例えば、電圧）を受信することができ、生の測定値をマルチチャネルデータに組み合わせることができる。幾つかの実施形態では、ＥＥＧ電子回路１２２は、ＥＥＧセンサ１０８からのデータに対して１つ以上の処理動作を実行することができる。例えば、ＥＥＧ電子回路１２２は、フィルターまたはデジタイザ（例えば、アナログ‐デジタルコンバータ）を含みうる。ＭＥＧ電子回路１２３は、一般に、ＭＥＧ電子回路１２３がＭＥＧセンサ１１０に結合されていることを除いて、ＥＥＧ電子回路１２２と同様でありうる。
【００４１】
システム電子回路１２０は、環境１００の１つ以上の態様を制御するために使用されうる周辺機器インタフェースユニット１２４を含む。例えば、周辺機器インタフェースユニット１２４は、測定シーケンスがいつ開始されるべきかをユーザが示すことを可能にしうる制御を含みうる。別の例では、周辺機器インタフェースユニット１２４を使用して、支持構造１０６の調整など、室の様々な態様を動作させることができる。周辺機器インタフェースユニット１２４は、測定データがＥＥＧセンサ１０８および／またはＭＥＧセンサ１１０からいつ捕捉されるべきかを判定することができる。
【００４２】
測定が対象者１０２を刺激することを含む実施形態では、周辺機器インタフェースユニット１２４は、刺激コンピュータ１１４と協調することができる。例えば、例示的な測定シーケンスでは、周辺機器インタフェースユニット１２４は、「刺激データセット前」としてＥＥＧセンサ１０８および／またはＭＥＧセンサ１１０からデータを捕捉し、刺激コンピュータ１１４に信号を伝えて対象者１０２への刺激を開始し、次いで「刺激データセット中」としてデータを捕捉し、刺激コンピュータ１１４に信号を伝えて対象者１０２の刺激を停止し、次いで「刺激後データセット後」としてデータを捕捉することができる。
【００４３】
測定シーケンスがいかなる刺激も含まない（かつ刺激コンピュータ１１４および刺激機構１１６が省略されうる）実施形態では、周辺機器インタフェースユニット１２４は、なおも測定のタイミングを制御することができる。例えば、ユーザは、周辺機器インタフェースユニット１２４を動作させて、対象者１０２が測定のために適切に配置されていること、および／または無関係な人員が室１０４を出たことを示しうる。
【００４４】
システム電子回路１２０は、信号処理電子回路１２６を含みうる。信号処理電子回路１２６は、ＥＥＧ電子回路１２２および／またはＭＥＧ電子回路１２４からの信号を捕捉することができ、これらの信号を１つ以上のコンピューティングデバイス（例えば、取得ワークステーション１２８および／または分析ワークステーション１３０など）に受け入れ可能なフォーマットに処理することができる。例えば、信号処理電子回路１２６は、信号測定値をデジタル信号に変換しうるアナログ‐デジタル変換器（ＡＤＣ）を含みうる。信号処理電子回路１２６はまた、幾つかの実施形態では、デジタル信号処理などの追加の信号処理を含みうる。例えば、信号処理電子回路１２６は、記録された測定値のノイズを低減するために使用される１つ以上のデジタルフィルタを含みうる。
【００４５】
測定プロトコルは、取得ワークステーション１２８から管理することができる。取得ワークステーションは、特定の測定プロトコル用の命令を含みうる。例えば、取得ワークステーション１２８は、刺激コンピュータ１１４、システム電子回路１２０、および／または他の構成要素を制御して、ＥＥＧセンサ１０８および／またはＭＥＧセンサ１１０から測定値を収集することができる。幾つかの実施形態では、取得ワークステーション１２８は、測定プロトコルを調整するために使用されうる１つ以上のユーザ制御を含みうる。例えば、取得ワークステーション１２８は、複数の保存された測定プロトコルを含みうるものであり、そのうちの１つが選択されうる。選択された測定プロトコルは、次いで、１つ以上の調整可能なパラメータ（例えば、測定のタイミング、センサの数など）を有しうる。幾つかの実施形態では、取得ワークステーション１２８は、取得ソフトウェアを実行しうる汎用コンピュータでありうる。
【００４６】
システム電子回路１２０から収集されたデータは、１つ以上の分析ワークステーション１３０に提供されうる。分析ワークステーションは、１つ以上のアプリケーションで使用できるようにするために、記録データを処理しうる。例えば、分析ワークステーション１３０は、特定の関心対象の信号（例えば、対象者１０２の脳からの信号）の分析を可能にするために、記録データのアーチファクトを抑制しうる。幾つかの実施形態では、分析ワークステーション１３０は、データが記録されているときにセンサ１０８および１１０からデータを受信しうる（例えば、「ライブ」モードで動作しうる）。幾つかの実施形態では、分析ワークステーション１３０は、先行して捕捉されて保存された測定値で動作しうる。幾つかの実施形態では、分析ワークステーション１３０は、分析またはデータ解釈ソフトウェアを実行しうる汎用コンピュータであってよい。
【００４７】
システム電子回路１２０による処理後、ＥＥＧセンサ１０８および／またはＭＥＧセンサ１１０から収集され、かつ分析ワークステーション１３０によって使用されるデータは、Ｎｘｍ次元行列であるデータ行列Ｄの形態をとることができ、ここで、Ｎは記録チャネルの数（例えば、異なる個別のセンサの数）であり、ｍは離散時点の数である。データセットＤの行列を、関心対象の信号（例えば、対象者１０２の脳内の信号）からの寄与分、アーチファクトからの寄与分（例えば、室１０４における電子干渉、対象でない他の脳信号）、およびランダムノイズからの寄与分を含むものとしてみなすことは有用でありうる。したがって、データセットＤは、次の式１、すなわち
Ｄ＝ＭｓＸｓ＋ＭａＸａ＋Ｅ      式１
によって表すことができる。
【００４８】
上記の式１では、ＭｓおよびＭａは、それぞれ、関心対象の信号およびアーチファクトの空間パターンにまたがる空間ベースである。これらのベースは、それぞれ、ＮｘｎｓおよびＮｘｎａの次元を有し、ここで、ｎｓおよびｎａはそれぞれ、信号およびアーチファクト信号の自由度の数を表す。例えば、ｎｓおよびｎａは、関心対象の信号およびアーチファクトの検出可能な空間的複雑さを表しうる。係数行列ＸｓおよびＸａはそれぞれ、ｎｓｘｍおよびｎａｘｍの次元を有し、空間基底成分（例えば、それぞれＭｓおよびＭａ）の時間依存の振幅係数を含みうる。ノイズ行列Ｅは、ランダムで空間的に無相関のノイズを表すＮｘｍ次元の行列である。
【００４９】
関心対象の信号からの寄与分は、一般に、ノイズおよびアーチファクトからの寄与分と比較して小さくなりうるため、データセットＤから関心対象の信号（例えば、ＭｓＸｓ）を抽出することが有用でありうる。残念ながら、関心対象の信号（例えば、Ｍｓ）およびアーチファクト（例えば、Ｍａなど）にまたがる信号サブスペースは、一般に、互いに直交していない。したがって、一般に、この方法でデータからアーチファクトの寄与分を除去することにより信号の寄与分の一部（または全て）も同様にデータから除去されうるため、アーチファクトの信号サブスペース（例えば、Ｍａ）を知ることは、アーチファクトの寄与分と信号の寄与分とを分離するのに十分ではない場合がある。
【００５０】
本明細書でより詳細に説明するように、分析ワークステーション１３０は、この低減が関心対象の信号からの寄与分に与える影響を最小限に抑えながら、関心対象の信号の空間モデルを使用してデータセットＤからのアーチファクトの寄与分を低減（または排除）することができる。記録データは、空間モデルに基づく行列を投影データおよび残余データに投影することによって分割することができる。投影データセットは、関心対象の信号およびアーチファクトからの寄与分を含みうるが、残余データセットは、（例えば、信号の寄与分が投影除外されたため）主にアーチファクトおよびノイズの寄与分を含む。残余データは、投影データまたは記録データＤと比較することができ、アーチファクトは、投影データまたは記録データＤから除去されうる。このようにして、信号のモデルに基づいて、データセットＤ内のアーチファクトの影響を最小限に抑えることが可能でありうる。これにより、アーチファクトの寄与分の源についての想定および／またはそのモデル化の必要性を最小限に抑える（または排除する）ことができる。
【００５１】
空間モデルは、導体（例えば、脳）内の任意の実行可能な電流（例えば、任意の電流）に基づいて、電磁界の推定空間分布を生成することができる。例えば、任意の位置、方向、および／または大きさの電流を、空間モデルで使用することができる。幾つかの実施形態では、任意の電流は、関心対象の信号を生成する予測電流に基づく特性を有しうる。例えば、任意の電流は、導体内の電流の予測される位置、方向、および／または大きさに基づく特性を有しうる。幾つかの実施形態では、任意の電流は、導体内の電流に対する実行可能な特性の範囲内に入る任意の特性を有しうる。空間モデルは、電磁界の異なる態様をモデル化するための異なる成分を有しうる。例えば、データセットＤがＭＥＧセンサ１１０からの測定値を含む場合、磁界空間モデルを使用して、磁界の推定分布を生成することができる。データセットＤがＥＥＧセンサ１０８からの測定値を含む場合、電界空間モデルの特定の形態でありうる電圧空間モデルを使用して、電圧の推定分布を生成することができる。
【００５２】
幾つかの実施形態では、空間モデルを使用して、データセットＤ内のチャネルＮの最小数を判定することができる。例えば、空間モデルは、モデルに対して複数の自由度を有しうる。データセットＤと、空間モデルによって与えられる電磁界の推定分布を一致させるために使用される式が過剰判定されることを確実にするために、モデルの自由度の数よりも大きい数のチャネルを有することが望ましい場合がある。例えば、センサの総数は、モデルの自由度に基づいて判定されうる。自由度の数が異なりうる、別個の磁気および電圧空間モデルが存在しうるため、異なる数のＭＥＧセンサ１１０およびＥＥＧセンサ１０８が必要となる場合がある。
【００５３】
図１の例は、室１０４に対して特定の関係性で配置された環境１００の構成要素を示しているが、他の関係性が使用されうることを理解されたい。例えば、図１は、室１０４の外部のシステム電子回路１２０、取得ワークステーション１２８、および分析ワークステーション１３０などの構成要素を示しているが、幾つかの実施形態では、これらの構成要素の１つ以上を室の内部に配置してもよい。同様に、図１の例示的な環境は、室１０４の内部の対象者１０２を示しているが、幾つかの実施形態では、室１０４は、対象者１０２の一部のみを囲むシールドチャンバ、シールドパーティションであってもよく、または完全に省略されてもよい。
【００５４】
図２は、本開示の一実施形態による分析ワークステーションである。図２のコンピューティングシステム２００は、幾つかの実施形態では、図１の分析ワークステーション１３０に含まれうる。図２の例示的なコンピューティングシステム２００は、ＥＥＧセンサ１０８および／または図１のＭＥＧセンサ１１０などのセンサによって捕捉された式１のデータセットＤでありうる、データセットＤ内のアーチファクトを抑制するために使用されうる命令２１４を実行するように設定される。
【００５５】
コンピューティングシステム２００は、メモリ２１２に保存された１つ以上の命令２１４を実行しうるプロセッサ２０２を含む。コンピューティングシステム２００はまた、プロセッサ２０２によって実行される命令２１４に基づいて１つ以上の構成要素を動作させるために使用されうるコントローラ２０４を含む。コンピューティングシステム２００は、ユーザに情報を提示するために使用されうる、モニタなどのディスプレイ２０６を含みうる。コンピューティングシステム２００は、ユーザがコンピューティングシステム２００と対話することを可能にしうるインタフェース２０８を含みうる。例えば、インタフェース２０８は、マウス、キーボード、タッチスクリーンなどであってよい。コンピューティングシステム２００はまた、コンピューティングシステム２００が情報を送受信することを可能にしうる通信モジュールを含みうる。例えば、通信モジュール２１０は、ユニバーサルシリアルバス（ＵＳＢ）などの有線ポートでありうるか、または無線（例えば、ＢｌｕｅｔｏｏｔｈまたはＷｉＦｉ）でありうる。
【００５６】
コンピューティングシステム２００は、コンピューティングシステム２００に有用な情報を保存するために使用されうるメモリ（例えば、ハードドライブ、ディスクドライブなどのリムーバブルメディアなど）を含む。図２の例示的なコンピューティングシステム２００のメモリ２１２は、記録データ（Ｄ）におけるアーチファクトの抑制に使用されうる命令２１４がロードされて示されている。メモリ２１２はまた、様々なデータ構造、情報の断片、および測定データ内のアーチファクトの抑制に役立ちうる他の命令を含むものとして示されている。例えば、メモリ２１２は、空間モデル２２４、空間モデル２２４への入力として使用されうる空間情報２２８、先行して記録された測定値またはデータセットなどの保存データ２２６を含むものとして示されている。メモリ２１２はまた、例えば、記録データに基づいて、診断を行い、疾患を分類し、治療を監視し、治療のコースを判定などするために、データに関する様々な判定を行うために（アーチファクト抑制の前または後のいずれかで）使用されうる分析基準２３０を含みうる。
【００５７】
命令２１４は、データの記録を記載したブロック２１６を含みうる。幾つかの実施形態では、ブロック２１６に記載されている記録ステップは、コンピューティングシステム２００から分離可能な取得ワークステーション（例えば、図１の１２８）によって実行されうる。ブロック２１６の記録は、一般に、ＥＥＧセンサおよび／またはＭＥＧセンサを使用して対象からデータを捕捉しうる測定プロトコルを記載することができる。記録データは、上記の式１で説明したように、Ｎｘｍ次元の行列である行列Ｄの形態をとることができる。一般に、データセットＤは、ＥＥＧ測定値またはＭＥＧ測定値のいずれかを含みうる。幾つかの実施形態では、両方のタイプの測定値を同時に記録することができるが、それらは、本明細書で説明するアーチファクト抑制のために別々の行列Ｄに分割することができる。ブロック２１６内の命令は、後での回収およびその後の分析のために、データを、保存データ２２６（例えば、ローカルに、またはクラウドなどのリモートな場所のいずれかに）に保存することを含みうる。
【００５８】
幾つかの実施形態では、ブロック２１６に記載されている記録ステップは、先行して実行されていてもよく、データセットＤは、保存データ２２６から回収されてもよい。先行の記録データセットが保存データ２２６から回収される幾つかの実施形態では、測定プロトコルに関する様々な情報がデータの収集に使用される。このような実施形態では、ブロック２１６の記録ステップはスキップされてもよく、命令は、回収されたデータで続行しうる。
【００５９】
ブロック２１８は、空間モデルに基づいて予測信号をモデル化することを記載している。幾つかの実施形態では、モデル化は、データを記録する（または保存データ２２６からデータを回収する）前に、それと同時に、かつ／またはその後に、生じうる。空間モデル２２４は、対象者における関心対象の信号によって生成された各センサでの信号をモデル化するために使用されうる。例えば、ＥＥＧを考慮する場合、空間モデルを使用して、対象者の脳の内部の電流に基づいて、所与のセンサ位置での予測電圧をモデル化することができる。幾つかの実施形態では、空間モデル２２４は、ＥＥＧ信号のアーチファクトを抑制するために使用される電気空間モデル、およびＭＥＧ信号のアーチファクトを抑制するために使用される磁気空間モデルを含みうる。空間モデルの例については、図３でより詳しく説明する。
【００６０】
空間モデル２２４は、基準点（例えば、対象者の脳内の基準点）に対する位置の関数である出力を生成しうるため、メモリ２１２は、空間情報２２８を含みうる。空間情報２２８は、対象者に対するセンサ（例えば、ＥＥＧセンサ１０８および／またはＭＥＧセンサ１１０）の配置に関する情報を含みうる。幾つかの実施形態では、空間情報２２８は、対象に関するセンサの標準的な配置に基づきうる。幾つかの実施形態では、空間情報２２８は、（例えば、図１の位置センサ１１２からの）測定された位置情報を含みうる。幾つかの実施形態では、空間情報２２８はまた、対象者内の関心対象の信号の可能性のある源に関する情報を含みうる。例えば、脳の特定の解剖学的領域からの関心対象の信号を監視することが望まれる場合、空間情報２２８は、基準点に対するその領域の位置に関する情報を含みうる。
【００６１】
ブロック２１８の命令によって生成された、モデル化された信号は、行列Ｍｓ，ｅによって表すことができる。モデル化された信号行列Ｍｓ，ｅは、モデル化された信号行列が記録データではなく空間モデルによって生成されたデータを表すことを除いて、一般に、式１のベース行列Ｍｓに類似しうる。
【００６２】
幾つかの実施形態では、命令２１４はまた、モデルを改良することを含みうる。例えば、モデルは記録データに基づいて改良することができ、これは、記録チャネルが較正誤差に関連付けられ、推定されたベースＭｓ，ｅおよびＭａ，ｅが不正確になる場合に役立ちうる。記録データは、Ｍｓ，ｅに関して比較的小さなサブスペースを有する空間データベクトルを有しうる。（例えば、記録データから）改良された基底は、（例えば、モデル化されたデータから）計算された基底とマージされて、改良されたモデルＭｓ，ｒを生成しうる。幾つかの状況では、改良されたモデルＭｓ，ｒは、改良されていないモデルＭｓ，ｅと比較して精度が向上しうる。改良ステップが使用される実施形態では、後続のステップにおいて、改良されたモデルＭｓ，ｒが、モデルＭｓ，ｅの代わりに使用されうる。
【００６３】
命令２１４は、ブロック２２０に続いてよく、ここでは、記録データ（Ｄ）を、空間モデル（Ｍｓ，ｅまたはＭｓ，ｒ）に基づいて、投影信号および残余信号に分割することを記載している。モデルＭｓ，ｅは、（例えば、モデル化された脳信号と同様に）モデルＭｓ，ｅの基底に沿って記録データから信号を投影するために使用されうる。これにより、信号およびアーチファクトの寄与分の混合物を含む投影データセット、ならびに主にアーチファクトの寄与分を含む残余データセットが生成されうる。
【００６４】
例えば、ブロック２２０は、モデルＭｓ，ｒに対応する空間平行投影演算子Ｐ‖を形成すること、およびモデルＭｓ，ｒ、すなわちＰ⊥＝Ｉ−Ｐ‖に対応する直交投影演算子Ｐ⊥を形成することを含みうるものであって、ここで、ＩはＮｘＮ次元の単位行列である。次いで、これらの演算子を次の式２、式３、すなわち
Ｄ‖＝Ｐ‖Ｄ      式２
Ｄ⊥＝Ｐ⊥Ｄ      式３
によって使用して、それぞれ、投影データＤ‖および残余データＤ⊥を生成することができる。
【００６５】
ブロック２２０の後には、一般に、残余データ（Ｄ⊥）に基づいて投影データ（例えばＤ‖）からのアーチファクトを除去または抑制することを記載する、ブロック２２２が続きうる。例えば、残余データＤ⊥は主にアーチファクトからの寄与分を含むため、これには、残余信号Ｄ⊥と元のデータＤまたは投影データＤ‖とを比較することと、残余データＤ⊥と共有される元の信号Ｄまたは投影信号Ｄ‖からの寄与分を除去することと、を含みうる。例えば、波形は、主に関心対象の信号波形とアーチファクト波形との混合物でありうる投影データＤ‖内で識別されうるものであり、波形は、主にアーチファクト波形でありうる残余データＤ⊥内で識別されうる。これらの波形を比較して、アーチファクト波形を投影データＤ‖または元の記録データＤから除去することができる。識別されたアーチファクト波形は、（例えば、上記の式２〜式３と同様に）時間領域で直交投影演算子によって除去することができる。
【００６６】
幾つかの実施形態では、ブロック２２２は、投影信号および残留信号を基底成分に分解することと、元の記録データＤまたは投影データＤ‖からアーチファクト要素を投影することと、を含みうる。例えば、ブロック２２２は、元の記録データＤまたは投影データＤ‖および残余データＤ⊥を、空間的および時間的領域における独立した基底成分に分解することを含みうる。幾つかの実施形態では、これには、次の式４および式５、すなわち
【数１】
2021536272.tif 000003
の形態で信号を分解する特異値分解（ＳＶＤ）法を含みうる。ここで、Ｕ行列およびＶ行列には、それぞれ、左および右の特異ベクトルが含まれ、対角Σ行列には、対応する特異値が含まれる。したがって、Ｕ、Σ、およびＶ行列の次元は、それぞれ、ＮｘＮ、ＮｘＮ、およびｍｘＮである。例えば、サブセット
【数２】
2021536272.tif 000004
によってまたがる時間成分のセットがアーチファクト波形として識別されている場合、これらのアーチファクトは、次の式６、すなわち
【数３】
2021536272.tif 000005
のように、時間領域での直交投影によってデータから除去することができる。
【００６７】
幾つかの実施形態では、主成分分析（ＰＣＡ）または独立成分分析（ＩＣＡ）などの、信号を分解する他の方法を使用することができる。ＳＶＤが使用される実施形態では、ブロック２２２はまた、重要性の次数でＶ⊥の右特異ベクトル（例えば、時間基底成分）を検査することを含みうる。ブロック２２２はまた、アーチファクトが投影データＤ‖のＳＶＤよりも重要性の高い次数で残余データＤ⊥のＳＶＤに現れる場合、アーチファクトとしてラベル付けする構成要素を含みうる。
【００６８】
いったん（例えば、ＳＶＤまたは何らかの他の方法のいずれかによって）アーチファクト波形が識別されると、識別されたアーチファクト波形は、元の記録データＤまたは投影データＤ‖から除去されて処理データＤ’を生成しうる。例えば、識別されたアーチファクト波形は投影データＤ‖から投影されてもよく、残余は処理データＤ’でありうる。幾つかの実施形態では、これは、投影に使用されるベースが空間モデルではなく識別されたアーチファクト波形に基づきうることを除いて、ブロック２２０に記載された投影動作に概ね類似しうる。
【００６９】
いったん記録データＤのアーチファクトが抑制されると、処理データＤ’は、１つ以上のアプリケーションに使用されうる。例えば、処理データＤ’は、ディスプレイ２０６上でレビュー用に（例えば、臨床医によって）提示されうる。幾つかの実施形態では、処理データＤ’は、分析基準２３０によって使用されうる。例えば、分析基準は、疾患を追跡するための１つ以上の基準を含みうる。分析基準２３０は、処理データに基づいて診断を行うために使用されうるものであり、かつ／または対象者における状態の治療／進行を監視するために使用されうる。
【００７０】
例えば、対象者（例えば、図１の対象者１０２）がてんかんである場合、処理データは、脳信号の「スパイク」に対して検査されうる。これには、臨床医による検査、または分析基準２３０による自動分析（例えば、閾値分析）を含みうる。スパイクの頻度および／または大きさに基づいて、対象者を監視することができ、てんかんのタイプを診断することができ、治療方針を判定または監視することなどができる。
【００７１】
幾つかの実施形態では、分析基準２３０は、対象に適用される刺激に関する情報と共に（例えば、刺激機構１１６によって）使用されうる。分析基準２３０は、データ内の期間を、刺激が適用されていた期間と一致させることができる。こうした情報は、自動分析のために使用されてもよく、かつ／またはデータは、（例えば、刺激がいつ適用されたか、および適用されなかったかの表示を用いて）ディスプレイ２０６上に提示するために注釈が付けられてもよい。
【００７２】
図３は、本開示の一実施形態による空間モデルのブロック図である。空間モデル３００を使用して、１つ以上のセンサ３１０の位置での関心対象の信号（例えば、電流３０８）からの寄与分を推定することができる。幾つかの実施形態では、空間モデルは、図２の空間モデル２２４として使用されうる。
【００７３】
空間モデル３００は、例示的な導体、この場合は脳３０２を示している。脳３０２は、電流３０８を含む活性領域３０６を含む。電流３０８は、ベクトル
【数４】
2021536272.tif 000006
で表される。物理法則では、電流は閉ループを形成する必要があり、
【数５】
2021536272.tif 000007
は電流分布の要素を表すだけである。脳３０２は、脳３０２の外部（例えば、頭部の上または周り）に配置されうるセンサ３１０によって取り囲まれている。基準点３０４は、脳３０２内に定義されうるものであり、座標系の基底として使用されうる。電流３０８と基準点３０４との間の空間的関係は、ベクトル
【数６】
2021536272.tif 000008
によって与えられうる。センサ３１０の所与の１つと基準点３０４との間の空間的関係は、ベクトル
【数７】
2021536272.tif 000009
によって与えられうる。センサ３１０は、電流
【数８】
2021536272.tif 000010
に起因する磁界
【数９】
2021536272.tif 000011
および電圧Ｖ（電界
【数１０】
2021536272.tif 000012
に基づきうる）を経験しうる。磁界
【数１１】
2021536272.tif 000013
および電圧Ｖの両方は、空間位置ベクトル
【数１２】
2021536272.tif 000014
の関数でありうる。磁界
【数１３】
2021536272.tif 000015
は、ＭＥＧセンサ（例えば、図１のＭＥＧセンサ１１０）によって記録されるデータをモデル化することができ、一方、電圧Ｖは、ＥＥＧセンサ（例えば、図１のＥＥＧセンサ１０８）によって記録される信号をモデル化することができる。
【００７４】
磁界
【数１４】
2021536272.tif 000016
および電圧Ｖのモデル化は、センサ３１０が一般に電流３０８よりも基準点３０４からさらに離れうるという事実を利用しうる。これは、センサ３１０が対象者の頭部の外部に配置されているのに対して、電流３０８が脳３０２内にあるという事実に起因しうる。数学的に言えば、幾つかの実施形態では、モデルは、次の式７、すなわち
【数１５】
2021536272.tif 000017
の関係性を想定しうる。
【００７５】
磁界
【数１６】
2021536272.tif 000018
は、次の式８、すなわち
【数１７】
2021536272.tif 000019
によってモデル化することができる。ここで、
【数１８】
2021536272.tif 000020
は位置
【数１９】
2021536272.tif 000021
での電流
【数２０】
2021536272.tif 000022
による静磁気多重極モーメントであり、
【数２１】
2021536272.tif 000023
はベクトル球面調和関数であり、ｌはモデルの次数であり、ｍは測定データＤの離散時点の数である。重畳の原理により、脳内の全ての可能な電流による総磁界は、次の式９、すなわち
【数２２】
2021536272.tif 000024
で表すことができる。ここで、静磁気多重極モーメントαｌ，ｍは、全ての
【数２３】
2021536272.tif 000025
寄与分の線形重畳である。
【００７６】
式３のモデルは、マクスウェルの方程式の準静的近似に基づきうる。式３のモデルは、次数ｌに基づいて複数の自由度を有しうる。ｌがＬの最大値（例えば、ｌ＝１，２，…，Ｌ）まで増大する場合、式８（および／または式９）の磁界モデル（ｎＢ）の自由度の数は、次の式１０、すなわち
ｎＢ（Ｌ）＝（Ｌ＋１）２−１      式１０
で与えられうる。
【００７７】
前述したように、モデルの自由度の数に対してデータ行列の測定チャネルの数（Ｎ）よりも小さくすることが有用でありうる。例えば、Ｌが８である状況では、モデルの自由度の数は、（例えば、上記の式１０で計算されるように）８０になりうる。したがって、ＭＥＧデータを記録する場合、少なくとも８１の異なるチャネルのデータ（例えば、８１の個別のＭＥＧセンサ）を使用してデータを収集することができる。
【００７８】
所与の位置での電圧Ｖのモデル化は、電界空間モデルに基づきうる。電圧は空間内のある点での電界ベクトルに基づくスカラーであるため、電界空間モデルは、次の式１１、すなわち
【数２４】
2021536272.tif 000026
の電圧モデルなどの電圧モデルに単純化されうる。ここで、
【数２５】
2021536272.tif 000027
は位置
【数２６】
2021536272.tif 000028
での電流
【数２７】
2021536272.tif 000029
による静電多重極モーメントであり、
【数２８】
2021536272.tif 000030
はスカラー空間調和関数であり、ｌは式の次数であり、ｍはデータ行列Ｄの離散時点の数である。重畳の原理により、脳内の全ての可能な電流による総電圧は、次の式１２、すなわち
【数２９】
2021536272.tif 000031
で表すことができる。ここで、静電多重極モーメントδｌ，ｍは、全ての
【数３０】
2021536272.tif 000032
寄与分の線形のｅである。式１１（および／または式１２）の電圧モデルは、ラプラス方程式の解に基づきうる。Ｌの最大値までのｌに対する電圧モデル（ｎＥ）の自由度の数は、次の式１３、すなわち
ｎＥ＝（Ｌ＋１）２      式１３
で与えられうる。
【００７９】
幾つかの実施形態では、式１１または式１２を使用して電圧を適切にモデル化するために、比較的低次が必要とされうる。これは、使用されるセンサチャネルの数を低減するのに有用でありうる。例えば、Ｌが２である場合、電圧モデルｎＥの自由度の数は、（例えば、式１３で計算されるように）９になりうる。したがって、少なくとも１０チャネルのＥＥＧデータ（例えば、少なくとも１０のＥＥＧセンサ）が必要とされうる。
【００８０】
式８（および／もしくは式９）の磁界空間モデル、ならびに／または式１１（および／もしくは式１２）の電圧空間モデルを使用して、モデル化された信号行列Ｍｓ，ｅを生成することができ、次いで図２に関して説明したように、記録データ行列Ｄを投影データと残余データとに分離するために使用することができる。モデル化された信号行列Ｍｓ，ｅは、一般に、式１の信号基底行列Ｍｓに類似しうる。したがって、空間モデル（例えば、磁気または電圧のいずれか）は、一般に、記録データＤが式１の行列ＸｓとＭｓとに分割される方法と同様の方法で、時間依存行列Ｘｓ，ｅと空間基底行列Ｍｓ，ｅとに分割されうる異なる値の行列を生成しうる。しかしながら、モデル化されたデータには信号成分しかないため、アーチファクトおよびノイズの項（例えば、ＭａＸａやＥ）を考慮する必要はない。
【００８１】
図４Ａ〜図４Ｂは、それぞれ、本開示の一実施形態による、アーチファクト抑制の前後の例示的なＭＥＧデータを示すグラフである。グラフ４００ａは、（例えば、図２の命令２１４と、式８および／または式９で説明されたものなどの磁界空間モデルを使用して）アーチファクトが抑制される前のＭＥＧデータの一例を示し、一方、グラフ４００ｂは、アーチファクトが抑制された後の処理されたＭＥＧデータの一例を示している。グラフ４００ａおよび４００ｂの両方は、複数の異なるチャネルを示している。各チャネルは、データの１０秒ウィンドウにおいて、縦軸に沿って信号振幅を示し、横軸に沿って時間を示している。グラフ４００ａと４００ｂとを比較することによって理解されうるように、関心対象の信号の繰り返しが、グラフ４００ｂに示される処理データにおいてはるかにより明白である。データの特定の数のチャネルが図４Ａ〜図４Ｂに示されているが、他の例示的な実施形態では、より多くのまたはより少ないチャネルが使用されてもよい。
【００８２】
図５Ａ〜図５Ｂは、それぞれ、本開示の一実施形態による、アーチファクト抑制の前後の例示的なＥＥＧデータを示すグラフである。グラフ５００ａは、（例えば、図２の命令２１４と、式１１および／または式１２で説明されたものなどの電界／電圧空間モデルを使用して）アーチファクトが抑制される前のＥＥＧデータの一例を示し、一方、グラフ５００ｂは、アーチファクトが抑制された後の処理されたＥＥＧデータの一例を示している。グラフ５００ａおよび５００ｂの両方は、複数の異なるチャネルを示している。各チャネルは、データの１０秒ウィンドウにおいて、縦軸に沿って信号振幅を示し、横軸に沿って時間を示している。グラフ５００ａと５００ｂとを比較することによって理解されうるように、グラフ５００ｂに示される処理データは、信号の無関係な変化を除去し、かつグラフ５００ａに示されるデータと比較して特定の波形の相対的な寄与分を増大させることによって、関心対象の潜在的な信号をよりよく強調する。データの特定の数のチャネルが図５Ａ〜図５Ｂに示されているが、他の例示的な実施形態では、より多くのまたはより少ないチャネルが使用されてもよい。
【００８３】
本開示は、ＥＥＧおよびＭＥＧ、ならびに脳内の活動の監視に関して一般的に記載されているが、同様の技術を使用して、他のタイプの電磁記録からのアーチファクトを抑制することができることを理解されたい。例えば、電磁記録は、体の他の部分における神経活動、および／または筋肉群などの電磁活動を伴う他のタイプの器官について行われうる。さらに、本開示の技術はまた、獣医学などの非ヒト対象における使用に適合させることができる。同様に、アーチファクトはまた、地球の地磁気活動の研究などの非生物学的現象の電磁記録における本開示のものと同様の技術を使用して抑制されてもよい。本明細書に記載された技術を電磁信号の他の源に適合させるために、空間モデルを調整して、源のパラメータと、その源からの信号を記録するために使用されるセンサとを一致させることができる。
【００８４】
もちろん、本明細書に記載された例、実施形態、またはプロセスのうちの任意の１つは、１つ以上の他の例、実施形態、および／またはプロセスと組み合わせることができ、または本システム、デバイスおよび方法に従って、別個のデバイスもしくはデバイス部分の間で、分離および／または実行することができることを理解されたい。
【００８５】
最後に、上述の議論は、本システムを単に例示することを意図しているに過ぎず、添付の特許請求の範囲を特定の実施形態または実施形態のグループに限定するものとして解釈されるべきではない。このように、本システムを、例示的な実施形態を参照して特に詳細に説明してきたが、以下の特許請求の範囲に示すように、本システムのより広い意図された精神および範囲から逸脱することなく、当業者によって多数の修正および代替の実施形態が考案されうることも理解されたい。したがって、この明細書および図面は例示的な方法とみなされるべきであり、添付の特許請求の範囲を限定することを意図するものではない。
【図１】
2021536272.tif 000033
【図２】
2021536272.tif 000034
【図３】
2021536272.tif 000035
【図４Ａ】
2021536272.tif 000036
【図４Ｂ】
2021536272.tif 000037
【図５Ａ】
2021536272.tif 000038
【図５Ｂ】
2021536272.tif 000039
【国際調査報告】
2021536272.tif 000040
2021536272.tif 000041
2021536272.tif 000042
2021536272.tif 000043